【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
装置固定部と、前記装置固定部に対して移動可能な検眼ユニットと、被検者の顔を支持するための顔支持ユニットと、を有する眼科装置であって、
前記装置固定部に対し前記顔支持ユニットを回転移動する顔支持移動部と、
前記装置固定部に対して交差する回転軸回りに前記検眼ユニットを回転移動する検眼ユニット移動部と、
を備えることを特徴とする眼科装置。
【請求項２】
前記顔支持移動部は、前記顔支持ユニットを前記装置固定部に対して交差する回転軸回りに回転移動させ、
前記検眼ユニット移動部による回転移動の回転軸と、前記顔支持移動部による回転移動の回転軸とは、一致していることを特徴とする請求項１に記載の眼科装置。
【請求項３】
前記顔支持ユニットの位置を検出する検出部と、
前記検出部の検出により前記顔支持ユニットの位置を判定する判定部と、を更に備え、
前記検眼ユニット移動部は、前記判定部によって判定された位置に応じて、前記検眼ユニットを移動させ、
前記検眼ユニット移動部による移動の完了後に前記検眼ユニットは、被検眼の検査を行うことを特徴とする請求項１または２に記載の眼科装置。
【請求項４】
前記眼科装置は、前記検眼ユニットにより検査された被検眼の前眼部像を表示するための表示部を更に備え、
前記表示部は、前記装置固定部に設けられていることを特徴とする請求項１乃至３のいずれか１項に記載の眼科装置。
【請求項５】
前記眼科装置は複合型眼科装置であり、
前記検眼ユニットは、
被検眼の第一の眼特性を検査するための光学系を有する第一検眼部と、
前記被検眼の前記第一の眼特性とは異なる第二の眼特性を検査するための光学系を有する第二検眼部と、
を有することを特徴とする請求項１乃至４のいずれか１項に記載の眼科装置。
【請求項６】
前記検眼ユニットの第一検眼部は、前記被検眼の眼屈折力を検査するための光学系を有する検眼部であり、
前記検眼ユニットの第二検眼部は、前記被検眼の眼圧を検査するための光学系を有する検眼部であることを特徴とする請求項５に記載の眼科装置。
【請求項７】
前記第一検眼部による検査と前記第二検眼部による検査との切替の指示に応じて前記被検者の耳側から鼻側に向かって前記検眼ユニットを回転移動させるように、前記検眼ユニット移動部を制御する制御部を更に有することを特徴とする請求項５または６に記載の眼科装置。
【請求項８】
被検眼の第一の眼特性を検査するための光学系を有する第一検眼部と、前記被検眼の前記第一の眼特性とは異なる第二の眼特性を検査するための光学系を有する第二検眼部と、を有する検眼ユニットと、
装置固定部に対して交差する回転軸回りに前記検眼ユニットを回転移動する検眼ユニット移動部と、
前記第一検眼部による検査と前記第二検眼部による検査との切替の指示に応じて、前記検眼ユニット移動部を制御する制御部と、
を備えることを特徴とする眼科装置。
【請求項９】
前記制御部は、前記第一検眼部による検査と前記第二検眼部による検査との切替の指示に応じて被検者の耳側から鼻側に向かって前記検眼ユニットを回転移動させるように、前記検眼ユニット移動部を制御することを特徴とする請求項８に記載の眼科装置。
【請求項１０】
前記第一検眼部により前記被検者の左右眼の一方を検眼し、前記検眼ユニットを前記左右眼の他方に移動した後に前記他方を検眼し、前記他方を検眼した後に前記第二検眼部により前記他方が検眼可能になるように、前記検眼ユニット移動部を制御する制御部を更に備えることを特徴とする請求項５乃至７のいずれか１項に記載の眼科装置。
【請求項１１】
被検眼の第一の眼特性を検査するための光学系を有する第一検眼部と、前記被検眼の前記第一の眼特性とは異なる第二の眼特性を検査するための光学系を有する第二検眼部と、を有する検眼ユニットと、
装置固定部に対して交差する回転軸回りに前記検眼ユニットを回転移動する検眼ユニット移動部と、
前記第一検眼部により被検者の左右眼の一方を検眼し、前記検眼ユニットを前記左右眼の他方に移動した後に前記他方を検眼し、前記他方を検眼した後に前記第二検眼部により前記他方が検眼可能になるように、前記検眼ユニット移動部を制御する制御部と、
を備えることを特徴とする眼科装置。
【請求項１２】
前記装置固定部に対して前記顔支持ユニットを固定する部材と、
前記部材を駆動する駆動部と、
前記顔支持ユニットが回転移動された後に前記顔支持ユニットが前記装置固定部に固定されるように、前記駆動部を制御する制御部と、
を更に備えることを特徴とする請求項１乃至７のいずれか１項に記載の眼科装置。
【請求項１３】
前記装置固定部に対して前記検眼ユニットを固定する部材と、
前記部材を駆動する駆動部と、
前記検眼ユニットが回転移動された後に前記検眼ユニットが前記装置固定部に固定されるように、前記駆動部を制御する制御部と、
を更に備えることを特徴とする請求項１乃至７のいずれか１項に記載の眼科装置。
【請求項１４】
装置固定部に対して交差する回転軸回りに検眼ユニットを回転移動する検眼ユニット移動部と、
前記装置固定部に対して前記検眼ユニットを固定する部材と、
前記部材を駆動する駆動部と、
前記検眼ユニットが回転移動された後に前記検眼ユニットが前記装置固定部に固定されるように、前記駆動部を制御する制御部と、
を備えることを特徴とする眼科装置。
【請求項１５】
前記制御部は、前記部材が前記装置固定部の溝部に挿入されるように、前記駆動部を制御することを特徴とする請求項１２乃至１４のいずれか１項に記載の眼科装置。
【請求項１６】
前記顔支持ユニットの位置に応じて前記検眼ユニットを回転移動させるように前記検眼ユニット移動部を制御し、前記検眼ユニットが回転移動された後に前記検眼ユニットが被検眼の検査を行うように前記検眼ユニットを制御する制御部を更に備えることを特徴とする請求項１乃至７のいずれか１項に記載の眼科装置。
【請求項１７】
装置固定部と、前記装置固定部に対して移動可能な検眼ユニットと、被検者の顔を支持するための顔支持ユニットと、を有する眼科装置であって、
前記装置固定部に対し前記顔支持ユニットを移動する顔支持移動部と、
前記装置固定部に対して交差する回転軸回りに前記検眼ユニットを移動する検眼ユニット移動部と、
前記顔支持ユニットの位置に応じて前記検眼ユニットを移動させるように前記検眼ユニット移動部を制御し、前記検眼ユニットが移動された後に前記検眼ユニットが被検眼の検査を行うように前記検眼ユニットを制御する制御部と、
を備えることを特徴とする眼科装置。
【請求項１８】
前記検眼ユニット移動部は、前記装置固定部に対して直交する回転軸回りに前記検眼ユニットを回転移動することにより、前記装置固定部に対して水平方向に回転移動することを特徴とする請求項1乃至１７のいずれか１項に記載の眼科装置。
【手続補正２】
【補正対象書類名】明細書
【補正対象項目名】０００６
【補正方法】変更
【補正の内容】
【０００６】
上記の目的を達成する本発明の一つの側面に係る眼科装置は、装置固定部と、前記装置固定部に対して移動可能な検眼ユニットと、被検者の顔を支持するための顔支持ユニットと、を有する眼科装置であって、前記装置固定部に対し前記顔支持ユニットを回転移動する顔支持移動部と、前記装置固定部に対して交差する回転軸回りに前記検眼ユニットを回転移動する検眼ユニット移動部と、を備えることを特徴とする。